【手続補正書】
【提出日】平成17年2月14日(2005.2.14)
【手続補正１】
【補正対象書類名】特許請求の範囲
【補正対象項目名】全文
【補正方法】変更
【補正の内容】
【特許請求の範囲】
【請求項１】
座業による問題点をなくすための椅子であって、座った人の骨盤及び大腿筋を支持する鞍状座部品（１３）を有し、この座部品は二つの湾曲した大腿トラフ（１１３、１１５）を有し、これらの大腿トラフは、両方とも、底区分（１０１、１０２）を有し、その向き合った側部には、他方の大腿トラフに関して内側区分（１０３及び１０４）及び外側区分（１０５及び１０６）が設けられ、前記区分は前記大腿トラフに対して長さ（Ｌ）を形成し、この長さ内に前記大腿トラフの前区分（１０７）及び後区分（１０８）があり、前記内側区分がそれらの前区分から互いに向かって持ち上がり、かくして前記座部品に対して長さ方向の中央押縁（１１０）を形成し、前記後区分が後区分（Ａ）を形成する場合には、前記長さから下方に達すると同時に互いから離れる、椅子において、
前記大腿トラフ（１１３、１１５）は少なくとも二つの別体の部品（３、５）であり、これらの部品間に前記中央押縁（１１０）と平行な中央開口部（２０）が形成される、ことを特徴とする椅子。
【請求項２】
請求項１に記載の椅子において、大腿トラフの長さ（Ｌ）は、水平方向平面に関し、それらの前区分（１０７）から下方に少なくとも３０°で６０°を越えない所定の角度（Ｋ１）で差し向けられている、ことを特徴とする椅子。
【請求項３】
請求項１又は２に記載の椅子において、大腿トラフの長さ（Ｌ）は、少なくとも７０°の所定の角度（Ｋ２）で互いから遠ざかる方向に差し向けられている、ことを特徴とする椅子。
【請求項４】
請求項１、２、又は３に記載の椅子において、前記中央開口部（２０）は、前記大腿トラフの前区分（１０７）の点に第１幅（Ｗ１）を有し、後区分（１０８）の点に他の幅（Ｗ２）を有し、前記第１幅は前記他の幅よりも大きい、ことを特徴とする椅子。
【請求項５】
請求項１乃至４のうちのいずれか一項に記載の椅子において、前記椅子は、前記大腿トラフの前記中央開口部の幅（Ｗ１及び／又はＷ２）を調節するため、大腿トラフの下区分（１１１）に固定された調節装置（６−１０）を更に含む、ことを特徴とする椅子。
【請求項６】
請求項１乃至５のうちのいずれか一項に記載の椅子において、前記内側区分１０３、１０４は、少なくとも前記前区分（１０７）の領域に第１高さ（Ｈ１）を有し、この高さは、前記外側区分（１０５、１０６）の他の高さ（Ｈ２）よりも大きい、ことを特徴とする椅子。
【請求項７】
請求項５に記載の椅子において、脚部部品（１２）を更に含み、この脚部部品の上部には調節装置を備えた取り付け装置（１）が設けられ、この取り付け装置は、前記脚部部品に関し、互いに関して移動自在の少なくとも二つの支持部品（２、４）を有し、これらの支持部品の互いから遠い面が前記大腿トラフに取り付けられている、ことを特徴とする椅子。
【請求項８】
請求項７に記載の椅子において、前記支持部品（２、４）は、互いに対して差し向けられた係止穴（６）を有し、
これらの穴のうちの少なくとも一つの穴（６）は、横方向の前記中央押縁に対して長さ方向であり、
前記穴は少なくとも他方の支持部品（２又は４）に設けられ、幾つかが前記中央押縁に対して横方向であり、
前記調節装置は係止装置（７、８、９）を含み、これらの装置は前記少なくとも二つの支持部品に配置された係止穴を通る、ことを特徴とする椅子。
【手続補正２】
【補正対象書類名】明細書
【補正対象項目名】全文
【補正方法】変更
【補正の内容】
【書類名】      明細書
【発明の名称】  座業による問題点をなくすための椅子
【技術分野】
【０００１】
本発明は、座業による問題点をなくすための、骨盤及び大腿筋を支持する鞍状座部品を含む椅子に関する。鞍状座部品は、座部品の中央部から所定の角度で下方に湾曲した側部品によって形成された大腿トラフを含む。これらの大腿トラフは、座った人が大腿部を僅かに離し、所定角度で下方に差し向け、脚部が所定角度で前方に延びるように構成されている。
【背景技術】
【０００２】
現在の椅子に座った場合、骨盤領域、股関節、及び膝関節がほぼ９０°の角度をとるという問題が生じる。ふくらはぎ及び大腿部、及びこれと対応して大腿部及び背中が互いに関してほぼ９０°の角度をとる。従って、座った人の温かい大腿部が互いに合わさり、大腿部、骨盤領域、大腿部下部分、及び生殖器に非生理的圧力及び温度が加わる。表地を施した椅子に座った場合、ズボンの中の空気の循環が悪く、睾丸の温度が上昇する。使用したベルトがきつく締まった状態のままだと胃や骨盤筋肉に圧力が加わる。ズボンの中の空気の循環は上述の理由により更に悪化し、鼠蹊領域での身体の熱の蓄積が加速する。睾丸の温度がひどく高くなり、精液が量質ともに低下するのはこの理由による。精液の通常の生産及びその生殖能には、約３７℃の通常の体温と比較して数度、即ち約３℃乃至４℃低い温度を必要とする。現在の椅子に座った場合、座った人は、多くの場合、背中と肩が前方に湾曲し、これにより肺の機能が部分的に損なわれ、場合によっては弱くなり、これにより疲労が生じるため、疲れて突っ伏してしまう。更に、現在の椅子に座ったまま動くのは容易ではなく、しかし移動は、最良でもぎこちない。更に、この問題点は、現在の椅子に座ると、座った人の大部分で、背中の機構（下領域、中央領域、及び頸部／肩部領域）の位置が正しくなくなり、座ることと関連した様々な疾患（ＳＯＤ（ｓｉｔｔｉｎｇ  ｏｒｉｅｎｔｅｄ  ｄｉｓｏｒｄｅｒ））が生じる。これらには、更に、一般的な膝関節症の進行及び悪化が含まれる。
【０００３】
以上の情報に鑑み、座業による上述の問題点を小さくするための鞍状椅子が開発されてきた。これらの種類の鞍状椅子の一例として、ＰＣＴ出願ＰＣＴ／Ｆ１９９／００６２１に解決策が記載されている。これらの鞍状椅子は、一部品鞍状座部品の上に人が自然な姿勢で脚部を或る程度前に傾けて座る。鞍状椅子の座部品は、広幅で比較的均等で共通の後部を含み、椅子に座ったときにこの後部に前部が載り、この後部に支持骨（ｓｅａｔ  ｂｏｎｅ）が載る。後部の中央には中間部分があり、これは座部品の後部から前部まで延びている。後部の前方に配置された中間部分は、座ったときに脚部間にある。鞍状椅子は、大腿トラフと呼ばれる側部品を更に含む。これは、座部品の後部から中間部分を通って下方に湾曲している。大腿トラフの形状は、椅子の横方向で見て湾曲した凹状である。大腿トラフは、互いに関して約９０°角度をなしており、人はこれらに大腿を下方に角度をなして直接座り、脚部は前方に角度をなす。鞍状椅子は、通常は、比較的小さく、必要とする空間が従来の椅子に関して小さい。更に、これらは移動が容易であり、容易に且つ迅速に座ったり立ったりできる。鞍状椅子の構造及び使用は、いわゆる従来の椅子とは明らかに異なる。鞍状椅子に座る場合には、従来の椅子よりも着座位置が比較的後方であり、骨盤が比較的直立する。着座領域に加わる重量は、従来の椅子とは領域が異なる。重量は座骨に集中し、座席の比較的後方及び中間にある。その結果、男性については、重量が骨盤の比較的下部に、かくして陰茎及び睾丸の領域にくる。これは、骨盤の着座位置が通常よりも比較的直立しているためである。
【特許文献１】  ＰＣＴ出願ＰＣＴ／Ｆ１９９／００６２１
しかしながら、現在の鞍状椅子の一部品座席は、男性の快適さ及び健康に特定の問題点をもたらす。研究によれば、男性の自転車利用者のサドルが性的不能及び陰嚢腫瘍を生じるということが一般に周知である。一部品鞍状椅子の男性の使用者には、重要なフィードバックがなされる。鞍状椅子は非生理的であり且つ不快な座席であるため、その部品について、問題の座り方が男性の間で広まらず、及びかくして全ての座り方の利点が、鞍状椅子を回避する男性に届かない。
【０００４】
現在の鞍状椅子では、陰茎、陰茎の根本、及び睾丸は、いずれの場合でも、例えば従来のように座っていたよりも大きな圧力が加わり、かくして前方に旋回しているときや延ばしているときに骨盤が曲がっており、更に大きな圧力が加わるように見える。更に、特に男性の問題において、尿道に一定の圧力が加わった状態で座っているとき、泌尿器科学の問題を生じる。人によっては、尾骨が早期に壊れたり痛んだりし、そのため現在の椅子に座るのが困難である。更に、出血している人は現在の椅子に座るのが困難である。
【発明の開示】
【発明が解決しようとする課題】
【０００５】
本発明の目的は、従来周知の技術で生じる座業による問題点をなくすための椅子を提供することである。特に、本発明の目的は、快適性及び健康に関して有利な適用及び椅子を提供することである。これらの目的は、本発明による椅子によって達成された。
【課題を解決するための手段】
【０００６】
本発明の椅子は、側部品が少なくとも二つの部品で形成されており、これらの間に座部品に関して長さ方向の中央開口が形成されていることを特徴としている。中央開口は、座部品の中央位置にあり、座部品の前部分から後方に達する。
【０００７】
本発明による椅子では、生理学的に最も害が少ない場所から、即ち骨盤の支持骨から、座る上での支持が得られ、大腿角度の有利な角度で、座ったとき、骨盤及び背中下側の領域で筋肉を活性的に且つ連続的に動かすことなく骨盤が直立するように差し向けられる。これにより、良好な姿勢を保つことができ、これによる有利な効果が得られる。本発明は、大腿−骨盤領域での望ましからぬ圧力及び位置を他の椅子と比較して小さくするということに関しても有利である。
【発明の効果】
【０００８】
本発明の特に優れた利点は、本発明による椅子によれば、従来の着座におけるように大腿下部に圧力が加わって骨盤を後方に曲げることをなくすことができ、男性の場合に椅子のフレーム及び表地が男性の生殖器（睾丸、陰茎の根元、及び陰茎）に及ぼす圧力の作用をなくし、及びかくしてこれらによる不快さ及び健康に対する危険をなくすということである。更に、着座中に尿道及び骨盤領域の下の陰茎の部分に及ぼされる圧力の効果をなくすことができ、かくして上述の理由による不快な感じ及び健康に対する危険をなくす。本発明によれば、睾丸の温度が最適であると考えられるほぼ３３℃に保たれ、及びかくして高過ぎる温度で精子の生殖能が損なわれることがない。
【０００９】
本発明による椅子は、女性にも適している。更に、本発明の利点は、本方法を適用した椅子の構造が非常に簡単であり、汎用性があり、及びかくして、椅子の使用者は、椅子の部品の支持性を彼の又は彼女の体格や衣服に合わせて簡単に且つ手早く調節できる。更に、尾骨痛（ｓｏｒｅ  ｃｏｃｃｙｘ）又は出血（ｈａｅｍｏｒｒｈｏｉｄｓ）のいずれかを患っている人は、本発明による椅子に容易に座ることができる。これは、座席の中央部での圧力が従来周知の座席よりも小さいためである。
【００１０】
本発明の有利な適用では、側部品は少なくとも二つの別々の部品で形成されている。これらの部品は、互いに容易に接合できる。
【００１１】
本発明の次の有利な適用では、中央開口部が座部品の前部で後部よりも大きく形成されている。かくして、座った人は、足を広げた姿勢で座るように案内され、空気の循環が向上し、その領域の組織が冷却される。
【００１２】
本発明の次の有利な適用では、側部品が互いに動かないように接合される。かくして、側部品は、部分的中央開口部を備えた鞍状椅子を形成する。
【００１３】
本発明の次の有利な適用では、側部分が互いに調節自在に接合される。かくして、これらの側部分間の距離、例えば中央開口部の大きさを所望の通りに調節できる。更に、中央開口部の形状は、幾つかの適用では所望の通りに調節でき、後部が前部よりも広幅であるように中央開口部を変更し、又は中央開口部の前部が後部よりも広幅であるように変更する。更に、座席の角度を水平方向平面に関して調節できる。従って、座った人は、各々、椅子の高さ（重要な大腿角度に影響を及ぼす）の他、前部及び後部の幅、及び座った人の筋肉、支持骨の幅及び対応する大腿腱、生殖器、及び女性の外部性器の幅に関して最も快適な位置に合わせた椅子の角度を調節できる。
【００１４】
次に、本発明を添付図面に示す有利な適用例を参照して更に詳細に説明するが、本発明はこれに限定されない。
【実施例】
【００１６】
図１乃至図４は、本発明による方法を適用した椅子の一つの有利な適用例を示す。図１乃至図４による椅子は、脚部部品１２及びこの脚部部品に取り付けられた鞍状座部品を形成する座部品１３を含む。この適用例では、座部品１３は二つの別体の側部品３、５で形成されており、これらの間に座部品に関して長さ方向の開口部が形成される。
【００１７】
脚部部品１２は、例えば、座部品の高さ調節に使用される旋回−垂直方向調節自在のガスばね１１又は対応する装置を持つロールを備えた作業用椅子等の従来認識された装置であってもよい。
【００１８】
別々の部品で形成された側部品３、５は、上部が湾曲しており且つ下部が真っ直ぐ下方に延びる鞍状形態、いわゆる大腿トラフ（ｔｈｉｇｈ  ｔｒｏｕｇｈ）で座を形成するプレート状部品で形成されており、これらのプレート状部品は、発泡プラスチックや皮革等の適当なクッション及び表面材料で外面が覆われている。
【００１９】
上文中に説明したように、椅子は、この場合、座った人の骨盤及び大腿筋を支持する鞍状座部品１３を含む。座部品は、横方向から見て湾曲しており且つ凹状になった二つの大腿トラフを有する。両大腿トラフ１１３、１１５は底区分１０１、１０２を有し、その両側には内側区分１０３及び１０４、及び外側区分１０５及び１０６が他方の大腿トラフに関して設けられている。かくして、座部品は、互いに接近しており且つ大腿トラフの前部１０７の領域だけが連結されており、これらから、底区分が側方及び後方に突出しており、外側区分によって取り囲まれている。大腿トラフの底区分及び側区分は均等に湾曲して互いに自然に連結されており、座った人に対する接触面が滑らかであり且つ快適であり、大きさが適当であるように適当な幅を有する。椅子の鋼製フレームでは、大腿トラフの底区分は大腿に対して直線状であり、前部から僅かに凸状になっている。これは、皮革を上側で伸ばしたときに椅子の表地が僅かに湾曲するためである。僅かに凸状の大腿トラフのため、尖った不快な角が大腿下側に当たることがない。底区分及び側区分は大腿トラフまでの長さがＬを形成し、大腿トラフはこの長さ内に前区分１０７及び後区分１０８を有する。内側区分１０３及び１０４はこれらの区分の前区分１０７から互いに対して持ち上がっており、かくして座部品に対して長さ方向に中央押縁１１０を形成する。これに対し、後区分１０８は後区分Ａを形成し、この区分から前記長さＬが下方に延び、即ち椅子の通常の使用中、後区分のほぼ水平方向平面から、及びそこから下方に延びる。これと同時に、後区分から前方に前区分１０７まで、大腿トラフ１１３、１１５が互いから離れる。大腿トラフは、少なくともその底区分１０１、１０２によって形成された後区分及びそこから形成された中央押縁１１０、その二つの側部に設けられており且つ互いから広がって離れ、大腿トラフの前区分１０７が達する。上述の内側区分１０３、１０４は、少なくとも前記前区分の領域に、上述の外側区分１０５、１０６の他の高さＨ２よりも大きな第１高さＨ１を有し、前記高さＨ２は、高さを各点で底区分１０１、１０２に対して垂直方向に計測した場合に非常に低い。第１高さＨ１は、共通の後区分の前区分から大腿トラフの前区分まで移動するときに増大する。
【００２０】
本発明によれば、大腿トラフ１１３、１１５は、少なくとも二つの異なる部品３、５であり、これらの間に、上述の中央押縁１１０と平行な中央開口部２０が形成されている。このことは、互いに向き合った大腿トラフの縁部が距離、即ち幅Ｗ１及びＷ２の大きさを有するということを意味し、これらの距離は標準的な大きさであってもよいし、以下に説明するように本発明に従って調節できてもよい。
【００２１】
大腿トラフの長さＬは、水平方向平面に関し、これらのトラフの前区分から下方にＫ１の角度で差し向けられている。この角度は、上述の前区分１０７又はこれらの前区分の前縁部１０９の領域で少なくとも３０°であり且つ６０°よりも小さく、代表的には約４５°であるが、当然のことながら角度は後部で小さくなり、後区分Ａの点で角度の値が０°に近づく。大腿トラフの長さは、互いから遠ざかる方向にＫ２の角度で差し向けられている。この角度Ｋ２は少なくとも７０°であり、代表的には７５°乃至１１０°である。中央開口部２０では、大腿トラフの前区分１０７の点で第１幅Ｗ１、後区分１０８又は後区分Ａの点で他の幅Ｗ２となっており、この第１幅Ｗ１は、他の幅と大きさが同じであってもよいし、又は有利には他の幅Ｗ２よりも大きい。前部での第１幅Ｗ１は、（代表的には）０ｍｍ乃至６０ｍｍで調節自在であり、他の幅Ｗ２は、代表的には０ｍｍ乃至２５ｍｍである。
【００２２】
側部品３、５間に形成された中央開口部は、図２に示すように、座部品を通して長さ方向空間を形成する。空間の幅は、男性用では代表的には前部で後部よりも大きく、例えば前部で１０ｍｍ乃至３５ｍｍであってもよい。空間は、幅が均等であってもよいが、中央開口部を形成する空間を座部品の前部で後部よりも大きいように形成した適用に着目するのが特に有利である。この種の適用を図４に破線で例示した。
【００２３】
上文中に言及したように形成した座部品を適当な取り付け装置１で脚部部品に取り付けた。この取り付け装置には少なくとも二つの支持部品２、４が取り付けられており、これらの支持部品は側部品に取り付けられる。図１乃至図４による適用における構成には、側部品を取り付け装置に調節自在に取り付けるため、幾つかの別体の部品で形成された調節装置６−１０が更に含まれる。
【００２４】
上文中に言及した取り付け装置１は、支持部品２とガスばね１１を互いに接合する部品である。図１乃至図４による例では、取り付け装置は、プレート材料でＵ形状部品に形成された簡単な部品であり、十分な厚さ及び十分な剛性を備えたプレート材料で形成されている。取り付け装置をガスばね１１の上端に取り付けるため、このウェブプレートの下に、ウェブプレートの下縁から下方に延びるガスばねのチューブ取り付け円錐体が取り付けられている。側部品と取り付け部品との間の支持部品の一方がＵ形状部品のフランジ部品に接合される。
【００２５】
図１乃至図４による適用では、支持部品２、４は、適当な厚さのプレート材料で形成されており、取り付け装置の側部に設けられた部品は、本質的には水平位置にある。これらは、側部品３、５に向かってこの位置から上方に垂直方向位置に曲がり、これらが座部品に取り付けられた点でこれらが座部品とほぼ同じ長さであるように広幅になっている。更に、取り付け部品の端部は、座部品の取り付けを強化するため、調節装置の旋回レバーの旋回角度を大きくするため、座部品の接合点で側方に所定角度で曲げてある。固定支持部品である右側の支持部品２は、その取り付け装置１の端部から取り付け装置のフランジ部品の端部に取り付けられている。調節自在の支持部品である左側の支持部品４は、その代わりに、その取り付け装置端部から、固定支持部品２上で部分的に調節自在の幾つかの部品で形成された調節装置６−１０に取り付ける。
【００２６】
調節装置６−１０及びその係止装置７−９は、図１乃至図４による例において、座部品に関して本質的に横方向に支持部品を垂直方向に通る溝又は穴６、溝のところで固定支持部品２の上面から上方に延びるねじ７、調節自在の支持部品４の上方でねじの端部に螺着されたナット８、及びナットに取り付けられたクランプレバー９、並びに固定支持部品の上面に取り付けられた差し向け装置１０を含む。クランプレバー９は、このレバーの端部に設けられたねじによってナット８にナットの側部に移動自在に連結されている。かくして、ナットは、例えば、座部品を分離する際に取り外すことができる。差し向け装置１０は、この適用では、固定支持部品２の上面で後壁に取り付けられたプレート体である。調節自在の支持部品４の後縁に当てて配置された差し向け装置１０の前縁部には、図２に示すようにＶ形状に切り込みが形成されており、かくして調節自在の支持部品４の旋回角度をその切り込み角度と対応するように制限する。
【００２７】
ナット８を開放し、調節自在の支持部品４及び側部品５を所望の位置まで移動することによって側部品間の互いの距離を変化させ、そのため、中央開口部として機能する空間を使用者の体格及び／又は衣服に応じて更に狭幅に又は広幅に調節できる。これと同時に、垂直方向軸線に関する側部品の位置も図４に示すように変化させることができる。側部品が互いに近接したとき、及び調節自在の側部品５の旋回角度が、差し向け装置１０の前縁部の斜行側部の方向の代わりに側部品間の距離によって決まるということを更に詳細に説明する。これは、この場合、調節自在の支持部品４の後縁部が差し向け装置１０の斜行前縁部と接触する前に側部品が互いに対して旋回するためである。
【００２８】
本発明の第２の適用では、有利には互いに向かって差し向けられた係止穴が設けられ、これらの係止穴は支持部品２又は４に設けられており、上文中に言及した中央押縁に横方向に当たっている。この場合、調節装置は、更に、上述の係止装置７、８、９を含み、これらの係止装置のうちの少なくとも一つが上述の少なくとも二つの支持部品に配置された係止穴を通る。
【００２９】
図５には、本発明の別の有利な適用が示してある。図５の適用は、図１乃至図３における適用とは、中央開口部として機能する空間が側部品間に形成されるように、図４の適用における側部品が互いに動かないように取り付けられていることだけが異なっている。図１乃至図４における適用では、側部品は、原理的には、上文中に言及したのと同じ方法で、しかし調節自在に互いに取り付けられている。図５では、対応する場所に図１乃至図４におけるのと同じ参照番号が付してある。図５の適用では、側部品３、５は、プレート材料製の支持部品１４によって互いに取り付けられている。支持部品１４は、取り付け装置１に適当な方法で、例えば溶接によって取り付けられているか或いは、支持部品１４及び取り付け装置１はプレート材料製の固体部品として形成されていてもよい。
【００３０】
本発明の別の適用では、椅子の側部品は、椅子の後部品が中実であるように後部品から互いに取り付けられており又は接合されている。このような適用では、中央開口部は、座の後縁から所望の距離まで、座部品の前部から延びる。中央開口部は、例えば、座部品の中央まで、又は僅かに後側まで延びていてもよい。
【００３１】
本発明は、現在の有利な適用に限定されず、特許請求の範囲に記載した本発明の要旨内で変化させることができる。かくして、本発明による椅子又はその詳細は、必ずしも添付図面に示したものでなくてもよく、他の種類の解決策が可能である。側部品を互いに及び取り付け装置に対して支持すること並びに調節は、様々な機構及び構造によって完全に自由に行うことができる。当然のことながら、必要な場合には、背もたれやひじ掛け等の様々な追加の部品を椅子に加えることができる。これらは、有利には、取り付け装置等に取り付けることができる。背もたれやひじ掛けには、背もたれやひじ掛けの性質を様々な体格の使用者に合わせて調節できる様々な調節装置が備えられていてもよい。
【図面の簡単な説明】
【００３２】
【図１】
有利な適用例を前方から、図２及び図３の方向Ｉから見た、座部品の中央押縁が図面の平面に対して垂直方向に延びる図である。
【図２】
図１による適用例を上方から、図２及び図３の方向ＩＩから見た、座部品の中央押縁が直立しており且つ幅がほぼ水平方向であり、そこから大腿トラフが延びるのがわかる図である。
【図３】
図１及び図２による適用例を側方から、図１及び図２の方向ＩＩＩから見た、大腿トラフの湾曲及びこれが下方に達する方法を示す図である。
【図４】
図１及び図２による一つの調節自在の適用例を上方から見た原理図である。
【図５】
本発明の別の適用例を前方から見た図である。
【符号の説明】
【００３３】
３、５  側部品
１１  ガスばね
１２  脚部部品
１３  鞍状座部品
１０１、１０２  底区分
１０３、１０４  内側区分
１０５、１０６  外側区分
１０７  前区分
１０８  後区分
１１０  中央押縁
１１３、１１５  大腿トラフ
【手続補正３】
【補正対象書類名】図面
【補正対象項目名】全図
【補正方法】変更
【補正の内容】
【図１】
2004520131.tif 000001
【図２】
2004520131.tif 000002
【図３】
2004520131.tif 000003
【図４】
2004520131.tif 000004
【図５】
2004520131.tif 000005